(57)【要約】【課題】壁面に対する内装ボードの平行状態を保持することができ、簡易な作業で容易に内装ボードを壁面に固定することができる壁面ボードリフターを提供する。【解決手段】壁面ボードリフター１０では、ナット３７に螺着された雄螺子部材のボルト軸を時計回り方向に回転させると、昇降プレート１２の下面から下方への雄螺子部材のボルト軸３９の延出寸法が次第に大きくなって昇降プレート１２がベースプレート１１から次第に上昇する。逆に、ナット３７に螺着された雄螺子部材のボルト軸を反時計回り方向に回転させると、昇降プレート１２の下面から下方への雄螺子部材のボルト軸３９の延出寸法が次第に小さくなって昇降プレート１２がベースプレート１１に向かって次第に下降する。【選択図】図１
2018013022.tif 000002
【特許請求の範囲】
【請求項１】
壁面に対する壁面ボードの設置に使用され、前記壁面ボードの下端を支持して該壁面ボードを床面から上方へ持ち上げた状態に保持する壁面ボードリフターにおいて、
前記壁面ボードリフターが、前記床面に載置されるベースプレートと、前記ベースプレートの上面側に位置し、昇降手段を介して上下方向へ昇降可能な昇降プレートとを備え、前記ベースプレートが、その上面から上方へ延びる案内ロッドと、その上面に位置する軸受け部とを有し、前記昇降プレートが、前記ベースプレートの案内ロッドに摺動可能に挿入された案内パイプと、その前端部に形成されて前記壁面ボードの下端を載せる載置部とを有し、前記昇降手段が、前記昇降プレートに作られた雌螺子部と、前記雌螺子部に螺着されて前記昇降プレートを貫通し、下端部が前記軸受け部に回転可能に挿入された雄螺子部材とから形成され、
前記壁面ボードリフターでは、前記雌螺子部に螺着された前記雄螺子部材を時計回り方向と反時計回り方向とのいずれか一方へ回転させると、前記昇降プレートの下面から下方への前記雄螺子部材の延出寸法が次第に大きくなって該昇降プレートが前記ベースプレートから次第に上昇し、前記雌螺子部に螺着された前記雄螺子部材を時計回り方向と反時計回り方向とのいずれか他方へ回転させると、前記昇降プレートの下面から下方への前記雄螺子部材の延出寸法が次第に小さくなって該昇降プレートが前記ベースプレートに向かって次第に下降することを特徴とする壁面ボードリフター。
【請求項２】
前記昇降手段を形成する雌螺子部が、前記昇降プレートの上面または下面のいずれかに固定されたナットである請求項１に記載の壁面ボードリフター。
【請求項３】
前記昇降手段を形成する雌螺子部が、前記昇降プレートの上下面を貫通する貫通孔に形成された雌螺子である請求項１に記載の壁面ボードリフター。
【請求項４】
前記載置部が、前記昇降プレートの先端から下方へ向かって延びる垂直部分と、前記垂直部分の下端から前方へ向かって延びる水平部分とから形成された断面Ｌ字状のアングルであり、前記壁面ボードの下端が、前記水平部分に載置される請求項１ないし請求項３いずれかに記載の壁面ボードリフター。
【請求項５】
前記ベースプレートは、その平面形状が四角形に成形され、横方向へ延びる前端部と、前記前端部から前後方向後方に離間して横方向へ延びる後端部と、前記前端部から前記後端部に向かって前後方向へ延びる両側縁部と、前記前後端部および前記両側縁部の間に位置する中央部とを有し、前記軸受け部が、前記ベースプレートの中央部に形成され、前記昇降手段が、前記ベースプレートの中央部に位置している請求項１ないし請求項４いずれかに記載の壁面ボードリフター。
【請求項６】
前記昇降プレートは、その平面形状が略四角形に成形され、横方向へ延びる前記前端部と、前記ベースプレートの中央部に位置して横方向へ延びる後端部と、前記ベースプレートの両側縁部に位置して前後方向へ延びる両側縁部と、前記前後端部および前記両側縁部の間に位置する中央部とを有し、前記ベースプレートの中央部の一部および後端部が、前記昇降プレートの後端部から前後方向後方へ延出して踏み代を形成している請求項１ないし請求項５いずれかに記載の壁面ボードリフター。
【請求項７】
前記案内ロッドが、前記ベースプレートの前端部の横方向中央に位置する第１案内ロッドと、前記ベースプレートの一方の側縁部の前後方向中央に位置する第２案内ロッドと、前記ベースプレートの他方の側縁部の前後方向中央に位置する第３案内ロッドとから形成され、前記案内パイプが、前記昇降プレートの前端部の横方向中央に位置する第１案内パイプと、前記昇降プレートの後端部の側の一方の側縁部に位置する第２案内パイプと、前記昇降プレートの後端部の側の他方の側縁部に位置する第３案内パイプとから形成されている請求項１ないし請求項６いずれかに記載の壁面ボードリフター。
【請求項８】
前記壁面ボードリフターでは、少なくとも２つのそれが横方向へ所定寸法離間して並び、それら壁面ボードリフターのベースプレートの互いに対向する側縁部どうしが所定の連結手段によって連結されている請求項１ないし請求項７いずれかに記載の壁面ボードリフター。
【請求項９】
壁面に壁面ボードを設置する壁面ボード設置方法において、
前記壁面ボード設置方法が、前記壁面ボードの下端を支持して該壁面ボードを床面から上方へ持ち上げた状態に保持する壁面ボードリフターを利用し、
前記壁面ボードリフターが、前記床面に載置されるベースプレートと、前記ベースプレートの上面側に位置し、昇降手段を介して上下方向へ昇降可能な昇降プレートとを備え、前記ベースプレートが、その上面から上方へ延びる案内ロッドと、その上面に位置する軸受け部とを有し、前記昇降プレートが、前記ベースプレートの案内ロッドに摺動可能に挿入された案内パイプと、その前端部に形成されて前記壁面ボードの下端を載せる載置部とを有し、前記昇降手段が、前記昇降プレートに作られた雌螺子部と、前記雌螺子部に螺着されて前記昇降プレートを貫通し、下端部が前記軸受け部に回転可能に挿入された雄螺子部材とから形成され、
前記壁面ボード設置方法では、前記雌螺子部に螺着された前記雄螺子部材を時計回り方向と反時計回り方向とのいずれか一方へ回転させて前記昇降プレートを前記ベースプレートの上面から上昇させた後、前記昇降プレートの載置部に前記壁面ボードの下端を載せ、または、前記昇降プレートの載置部に前記壁面ボードの下端を載せた後、前記雌螺子部に螺着された前記雄螺子部材を時計回り方向と反時計回り方向とのいずれか一方へ回転させて前記昇降プレートを前記ベースプレートの上面から上昇させ、前記壁面ボードを床面から上方へ持ち上げた状態を保持するとともに前記壁面に対する該壁面ボードの平行状態を保持しつつ該壁面ボードを該壁面に設置することを特徴とする壁面ボード設置方法。
【請求項１０】
前記壁面ボード設置方法では、前記雄螺子部材を時計回り方向と反時計回り方向とのいずれか一方へ回転させて前記昇降プレートを前記ベースプレートの上面から上昇させ、または、前記雄螺子部材を時計回り方向と反時計回り方向とのいずれか他方へ回転させて前記昇降プレートを前記ベースプレートの上面に向かって下降させ、前記昇降プレートの載置部に載せた前記壁面ボードの床面からの高さ寸法を微調節する請求項９に記載の壁面ボード設置方法。
【請求項１１】
前記壁面ボード設置方法では、少なくとも２つの壁面ボードリフターが利用され、それら壁面ボードリフターを横方向へ所定寸法離間させて配置し、それら壁面ボードリフターの各載置部に前記壁面ボードの下端を載せる請求項９または請求項１０に記載の壁面ボード設置方法。
【請求項１２】
それら壁面ボードリフターのベースプレートの互いに対向する側縁部どうしが、所定の連結手段によって連結されている請求項９ないし請求項１１いずれかに記載の壁面ボード設置方法。
【発明の詳細な説明】
【技術分野】
【０００１】
本発明は、壁面に対する壁面ボードの設置に使用される壁面ボードリフターおよび壁面に壁面ボードを設置する壁面ボード設置方法に関する。
【背景技術】
【０００２】
基材の表面および裏面に吸着性塗料を塗布したシートを貼着した内装ボードの複数枚を横方向へ並べ、隣接する内装ボードの間に吸着性塗料を塗布しつつ、それら内装ボードを屋内の壁面に取り付ける内装ボードの施工方法が開示されている（特許文献１参照）。この施工方法は、吸着性塗料を塗布したシートを貼着した複数枚の内装ボードを家屋の内壁に取り付けるだけで内装工事が完了するから、吸着性塗料を満遍なく基材に塗布する手間を省くことができ、吸着性塗料を備えた内装ボードを壁面に容易かつ短時間に設置することができる。
【先行技術文献】
【特許文献】
【０００３】
【特許文献１】特開２０１３−１４９４１号公報
【発明の概要】
【発明が解決しようとする課題】
【０００４】
内装ボードを屋内の壁面に取り付ける場合、壁面に対して内装ボードを平行に保持し、その状態で内装ボードを壁面に固定する必要から、内装ボードを床面におくことはできず、作業者がその膝で内装ボードを壁面に押し付け、内装ボードを床面から上方に持ち上げた状態を保持しつつ、電動ドリルやタッカーによってそのボードを壁面に設置固定する。そのような手順で複数枚の内装ボードを壁面に取り付ける作業は重労働であるのみならず、壁面に対する内装ボードの平行状態を保持しつつボードを手際よく壁面に固定するには熟練した作業者の経験や勘に頼らざるを得ず、熟練した作業者以外の者が内装ボードを壁面に設置固定することはできない。
【０００５】
本発明の目的は、作業者がその膝で壁面ボードを壁面に押し付けることなく、内装ボードを床面から上方に持ち上げた状態を保持しつつ壁面に対する壁面ボードの平行状態を保持することができ、簡易な作業で容易に壁面ボードを壁面に設置固定することができる壁面ボードリフターを提供することにある。本発明の他の目的は、熟練した作業者の経験や勘に頼る必要はなく、熟練した作業者以外の者が壁面ボードを壁面に設置固定することができる壁面ボードリフターを提供することにある。本発明の他の目的は、作業者がその膝で壁面ボードを壁面に押し付けることなく、内装ボードを床面から上方に持ち上げた状態を保持しつつ壁面に対する壁面ボードの平行状態を保持することができ、簡易な作業で容易に壁面ボードを壁面に設置固定することができる壁面ボード設置方法を提供することにある。本発明の他の目的は、熟練した作業者の経験や勘に頼る必要はなく、熟練した作業者以外の者が壁面ボードを壁面に設置固定することができる壁面ボード設置方法を提供することにある。
【課題を解決するための手段】
【０００６】
前記課題を解決するための本発明の第１の前提は、壁面に対する壁面ボードの設置に使用され、壁面ボードの下端を支持して壁面ボードを床面から上方へ持ち上げた状態に保持する壁面ボードリフターである。
【０００７】
前記第１の前提における本発明の壁面ボードリフターの特徴は、壁面ボードリフターが、床面に載置されるベースプレートと、ベースプレートの上面側に位置し、昇降手段を介して上下方向へ昇降可能な昇降プレートとを備え、ベースプレートが、その上面から上方へ延びる案内ロッドと、その上面に設置された軸受け部とを有し、昇降プレートが、ベースプレートの案内ロッドに摺動可能に挿入された案内パイプと、その前端部に形成されて壁面ボードの下端を載せる載置部とを有し、昇降手段が、昇降プレートに作られた雌螺子部と、雌螺子部に螺着されて昇降プレートを貫通し、下端部が軸受け部に回転可能に挿入された雄螺子部材とから形成され、壁面ボードリフターでは、雌螺子部に螺着された雄螺子部材を時計回り方向と反時計回り方向とのいずれか一方へ回転させると、昇降プレートの下面から下方への雄螺子部材の延出寸法が次第に大きくなって昇降プレートがベースプレートから次第に上昇し、雌螺子部に螺着された雄螺子部材を時計回り方向と反時計回り方向とのいずれか他方へ回転させると、昇降プレートの下面から下方への雄螺子部材の延出寸法が次第に小さくなって昇降プレートがベースプレートに向かって次第に下降することにある。
【０００８】
本発明の壁面ボードリフターの一例としては、昇降手段を形成する雌螺子部が昇降プレートの上面または下面のいずれかに固定されたナットである。
【０００９】
本発明の壁面ボードリフターの他の一例としては、昇降手段を形成する雌螺子部が昇降プレートの上下面を貫通する貫通孔に形成された雌螺子である。
【００１０】
本発明の壁面ボードリフターの他の一例としては、載置部が、昇降プレートの先端から下方へ向かって延びる垂直部分と、垂直部分の下端から前方へ向かって延びる水平部分とから形成された断面Ｌ字状のアングルであり、壁面ボードの下端が水平部分に載置される。
【００１１】
本発明の壁面ボードリフターの他の一例として、ベースプレートは、その平面形状が四角形に成形され、横方向へ延びる前端部と、前端部から前後方向後方に離間して横方向へ延びる後端部と、前端部から後端部に向かって前後方向へ延びる両側縁部と、前後端部および両側縁部の間に位置する中央部とを有し、軸受け部がベースプレートの中央部に形成され、昇降手段がベースプレートの中央部に位置している。
【００１２】
本発明の壁面ボードリフターの他の一例として、昇降プレートは、その平面形状が略四角形に成形され、横方向へ延びる前端部と、ベースプレートの中央部に位置して横方向へ延びる後端部と、ベースプレートの両側縁部に位置して前後方向へ延びる両側縁部と、前後端部および両側縁部の間に位置する中央部とを有し、ベースプレートの中央部の一部および後端部が昇降プレートの後端部から前後方向後方へ延出して踏み代を形成している。
【００１３】
本発明の壁面ボードリフターの他の一例としては、案内ロッドが、ベースプレートの前端部の横方向中央に位置する第１案内ロッドと、ベースプレートの一方の側縁部の前後方向中央に位置する第２案内ロッドと、ベースプレートの他方の側縁部の前後方向中央に位置する第３案内ロッドとから形成され、案内パイプが、昇降プレートの前端部の横方向中央に位置する第１案内パイプと、昇降プレートの後端部の側の一方の側縁部に位置する第２案内パイプと、昇降プレートの後端部の側の他方の側縁部に位置する第３案内パイプとから形成されている。
【００１４】
本発明の壁面ボードリフターの他の一例として、壁面ボードリフターでは、少なくとも２つのそれが横方向へ所定寸法離間して並び、それら壁面ボードリフターのベースプレートの互いに対向する側縁部どうしが所定の連結手段によって連結されている。
【００１５】
前記課題を解決するための本発明の第２の前提は、壁面に壁面ボードを設置する壁面ボード設置方法である。
【００１６】
前記第２前提における本発明の壁面ボード設置方法の特徴として、壁面ボード設置方法が壁面ボードの下端を支持して壁面ボードを床面から上方へ持ち上げた状態に保持する壁面ボードリフターを利用し、壁面ボードリフターが、床面に載置されるベースプレートと、ベースプレートの上面側に位置し、昇降手段を介して上下方向へ昇降可能な昇降プレートとを備え、ベースプレートが、その上面から上方へ延びる案内ロッドと、その上面に位置する軸受け部とを有し、昇降プレートが、ベースプレートの案内ロッドに摺動可能に挿入された案内パイプと、その前端部に形成されて壁面ボードの下端を載せる載置部とを有し、昇降手段が、昇降プレートに作られた雌螺子部と、雌螺子部に螺着されて昇降プレートを貫通し、下端部が軸受け部に回転可能に挿入された雄螺子部材とから形成され、壁面ボード設置方法では、雌螺子部に螺着された雄螺子部材を時計回り方向と反時計回り方向とのいずれか一方へ回転させて昇降プレートをベースプレートの上面から上昇させた後、昇降プレートの載置部に壁面ボードの下端を載せ、または、昇降プレートの載置部に壁面ボードの下端を載せた後、雌螺子部に螺着された雄螺子部材を時計回り方向と反時計回り方向とのいずれか一方へ回転させて昇降プレートをベースプレートの上面から上昇させ、壁面ボードを床面から上方へ持ち上げた状態を保持するとともに壁面に対する壁面ボードの平行状態を保持しつつ壁面ボードを壁面に設置することにある。
【００１７】
本発明の壁面ボード設置方法の一例として、壁面ボード設置方法では、雄螺子部材を時計回り方向と反時計回り方向とのいずれか一方へ回転させて昇降プレートをベースプレートの上面から上昇させ、または、雄螺子部材を時計回り方向と反時計回り方向とのいずれか他方へ回転させて昇降プレートをベースプレートの上面に向かって下降させ、昇降プレートの載置部に載せた壁面ボードの床面からの高さ寸法を微調節する。
【００１８】
本発明の壁面ボード設置方法の他の一例として、壁面ボード設置方法では、少なくとも２つの壁面ボードリフターが利用され、それら壁面ボードリフターを横方向へ所定寸法離間させて配置し、それら壁面ボードリフターの各載置部に壁面ボードの下端を載せる。
【００１９】
本発明の壁面ボード設置方法の他の一例としては、それら壁面ボードリフターのベースプレートの互いに対向する側縁部どうしが所定の連結手段によって連結されている。
【発明の効果】
【００２０】
本発明に係る壁面ボードリフターによれば、昇降プレートをベースプレートから上昇させた状態で昇降プレートの載置部に壁面ボードの下端を載せることで、作業者がその膝で壁面ボードを壁面に押し付けることなく、壁面ボードの床面から上方へ持ち上げた状態を保持することができ、壁面に対する壁面ボードの平行状態を保持することができる。壁面ボードリフターは、壁面ボードを昇降プレートの載置部に載せた状態で電動ドリルやタッカーを利用して作業者がその壁面ボードを壁面に設置固定することができ、壁面ボードの取り付け作業が重労働にならず、簡易な作業で容易に壁面ボードを壁面に設置固定することができるとともに、壁面ボードリフターを利用することで、熟練した作業者の経験や勘に頼る必要はなく、熟練した作業者以外の者が壁面ボードを壁面に設置固定することができる。壁面ボードリフターは、雌螺子部に螺着された雄螺子部材を時計回り方向と反時計回り方向とのいずれか一方に回転させると、昇降プレートの下面から下方への雄螺子部材の延出寸法が次第に大きくなって昇降プレートがベースプレートから次第に上昇し、雌螺子部に螺着された雄螺子部材を時計回り方向と反時計回り方向とのいずれか他方に回転させると、昇降プレートの下面から下方への雄螺子部材の延出寸法が次第に小さくなって昇降プレートがベースプレートに向かって次第に下降するから、昇降プレートの載置部に載せた壁面ボードの床面からの高さ寸法を微調節することができ、壁面に対する壁面ボードの平行状態を確実に保持することができる。壁面ボードリフターは、ベースプレートの上面から上方へ延びる案内ロッドが昇降プレートの案内パイプに摺動可能に挿入されているから、ベースプレートに対する昇降プレートの上昇時または下降時においてベースプレートに対する昇降プレートの水平状態を保持することができ、昇降プレートの載置部に載せた壁面ボードの姿勢を一定に保持することができるとともに、壁面に対する壁面ボードの平行状態を保持しつつ壁面ボードを壁面に設置固定することができる。
【００２１】
昇降手段を形成する雌螺子部が昇降プレートの上面または下面のいずれかに固定されたナットである壁面ボードリフターは、ナットの開口に形成された雌螺子に雄螺子部材を螺着し、雄螺子部材をナットの雌螺子において時計回り方向と反時計回り方向とのいずれかへ回転させることで、昇降プレートがベースプレートに対して上昇または下降するから、昇降プレートの載置部に載せた壁面ボードの床面からの高さ寸法を微調節することができ、壁面に対する壁面ボードの平行状態を保持することができる。壁面ボードリフターは、壁面ボードの床面からの高さ寸法を調節した状態で、電動ドリルやタッカーを利用して作業者がその壁面ボードを壁面に設置固定することができ、簡易な作業で容易に壁面ボードを壁面に設置固定することができる。
【００２２】
昇降手段を形成する雌螺子部が昇降プレートの上下面を貫通する貫通孔に形成された雌螺子である壁面ボードリフターは、昇降プレートの貫通孔に形成された雌螺子に雄螺子部材を螺着し、雄螺子部材を貫通孔の雌螺子において時計回り方向と反時計回り方向とのいずれかへ回転させることで、昇降プレートがベースプレートに対して上昇または下降するから、昇降プレートの載置部に載せた壁面ボードの床面からの高さ寸法を微調節することができ、壁面に対する壁面ボードの平行状態を保持することができる。壁面ボードリフターは、壁面ボードの床面からの高さ寸法を調節した状態で、電動ドリルやタッカーを利用して作業者がその壁面ボードを壁面に設置固定することができ、簡易な作業で容易に壁面ボードを壁面に設置固定することができる。
【００２３】
載置部が昇降プレートの先端から下方へ向かって延びる垂直部分と垂直部分の下端から前方へ向かって延びる水平部分とから形成された断面Ｌ字状のアングルであり、壁面ボードの下端が水平部分に載置される壁面ボードリフターは、壁面ボードの下端が断面Ｌ字状のアングルの水平部分に載置されるから、昇降プレートの載置部からの壁面ボードの脱落を防ぐことができ、壁面ボードの床面から上方に持ち上げた状態を確実に保持することができ、壁面に対する壁面ボードの平行状態を保持することができる。
【００２４】
ベースプレートが前後端部と両側縁部と中央部とを有し、軸受け部がベースプレートの中央部に形成され、昇降手段がベースプレートの中央部に位置している壁面ボードリフターは、雌螺子部に螺着された雄螺子部材を時計回り方向と反時計回り方向とのいずれか一方へ回転させると、昇降プレートの下面から下方への雄螺子部材の延出寸法が次第に大きくなって昇降プレートがベースプレートの中央部においてベースプレートから次第に上昇するから、壁面ボードの床面から上方に持ち上げた状態を確実に保持することができ、壁面に対する壁面ボードの平行状態を確実に保持することができる。
【００２５】
昇降プレートが前後端部と両側縁部と中央部とを有し、ベースプレートの中央部の一部および後端部が昇降プレートの後端部から前後方向後方へ延出して踏み代を形成している壁面ボードリフターは、昇降プレートの前端部に形成された載置部に壁面ボードを載せたときに壁面ボードの重量がベースプレートの前端部に集中し、ベースプレートが傾く恐れがあったとしても、ベースプレートの中央部の一部および後端部から形成された踏み代に作業者が足を載せることで、ベースプレートの不用意な傾斜を防ぐことができ、壁面ボードリフターを利用することで、壁面ボードを床面から上方に持ち上げた状態を確実に保持するとともに壁面に対する壁面ボードの平行状態を確実に保持しつつ壁面ボードを壁面に設置固定することができる。
【００２６】
案内ロッドがベースプレートの前端部の横方向中央に位置する第１案内ロッドとベースプレートの一方の側縁部の前後方向中央に位置する第２案内ロッドとベースプレートの他方の側縁部の前後方向中央に位置する第３案内ロッドとから形成され、案内パイプが昇降プレートの前端部の横方向中央に位置する第１案内パイプと昇降プレートの後端部の側の一方の側縁部に位置する第２案内パイプと昇降プレートの後端部の側の他方の側縁部に位置する第３案内パイプとから形成されている壁面ボードリフターは、ベースプレートの前端部の横方向中央に位置する第１案内ロッドが昇降プレートの前端部の横方向中央に位置する第１案内パイプに摺動可能に挿入され、ベースプレートの一方の側縁部の前後方向中央に位置する第２案内ロッドが昇降プレートの後端部の側の一方の側縁部に位置する第２案内パイプに摺動可能に挿入されているとともに、ベースプレートの他方の側縁部の前後方向中央に位置する第３案内ロッドが昇降プレートの後端部の側の他方の側縁部に位置する第３案内パイプに摺動可能に挿入されているから、ベースプレートに対する昇降プレートの上昇時または下降時においてベースプレートに対する昇降プレートの水平状態を確実に保持することができ、昇降プレートの載置部に載せた壁面ボードの姿勢を一定に保持することができるとともに、壁面に対する壁面ボードの平行状態を保持しつつ壁面ボードを壁面に設置固定することができる。
【００２７】
少なくとも２つの壁面ボードリフターが横方向へ所定寸法離間して並び、それら壁面ボードリフターのベースプレートの互いに対向する側縁部どうしが所定の連結手段によって連結されている壁面ボードリフターは、横方向へ所定寸法離間して並ぶ壁面ボードリフターの昇降プレートの載置部に壁面ボードを載せることで、１つの壁面ボードリフターを利用する場合と比較し、壁面ボードの少なくとも２カ所がそれら壁面ボードリフターの昇降プレートの載置部に支持されるから、壁面ボードの姿勢を安定させることができ、昇降プレートの載置部に載せた壁面ボードの姿勢を一定に保持することができるとともに、壁面に対する壁面ボードの平行状態を保持しつつ壁面ボードを壁面に設置固定することができる。壁面ボードリフターは、別々の複数の壁面ボードリフターを横方向へ所定寸法離間させて配置する手間を省くことができ、手間と時間とを要せずに容易に壁面ボードを壁面に設置固定することができる。
【００２８】
本発明に係る壁面ボード設置方法によれば、壁面ボードの下端を支持して壁面ボードを床面から上方へ持ち上げた状態に保持する壁面ボードリフターを利用し、雌螺子部に螺着された雄螺子部材を時計回り方向と反時計回り方向とのいずれか一方へ回転させて昇降プレートをベースプレートの上面から上昇させた後、昇降プレートの載置部に壁面ボードの下端を載せ、または、昇降プレートの載置部に壁面ボードの下端を載せた後、雌螺子部に螺着された雄螺子部材を時計回り方向と反時計回り方向とのいずれか一方へ回転させて昇降プレートをベースプレートの上面から上昇させ、壁面ボードを床面から上方へ持ち上げた状態を保持するとともに壁面に対する壁面ボードの平行状態を保持しつつ壁面ボードを壁面に設置固定するから、作業者がその膝で壁面ボードを壁面に押し付けることなく、壁面ボードを昇降プレートの載置部に載せた状態で電動ドリルやタッカーを利用して作業者がその壁面ボードを壁面に設置固定することができ、壁面ボードの取り付け作業が重労働にならず、簡易な作業で容易に壁面ボードを壁面に設置固定することができるとともに、壁面ボードリフターを利用することで、熟練した作業者の経験や勘に頼る必要はなく、熟練した作業者以外の者が壁面ボードを壁面に設置固定することができる。壁面ボード設置方法は、壁面ボードリフターのベースプレートの上面から上方へ延びる案内ロッドが昇降プレートの案内パイプに摺動可能に挿入されているから、ベースプレートに対する昇降プレートの上昇時または下降時に昇降プレートの水平状態を保持することができ、昇降プレートの載置部に載せた壁面ボードの姿勢を一定に保持することができるとともに、壁面に対する壁面ボードの平行状態を保持しつつ壁面ボードを壁面に設置固定することができる。
【００２９】
雄螺子部材を時計回り方向と反時計回り方向とのいずれか一方へ回転させて昇降プレートをベースプレートの上面から上昇させ、または、雄螺子部材を時計回り方向と反時計回り方向とのいずれか他方へ回転させて昇降プレートをベースプレートの上面に向かって下降させ、昇降プレートの載置部に載せた壁面ボードの床面からの高さ寸法を微調節する壁面ボード設置方法は、壁面ボードリフターの雌螺子部に螺着された雄螺子部材を時計回り方向と反時計回り方向とのいずれか一方へ回転させると、昇降プレートの下面から下方への雄螺子部材の延出寸法が次第に大きくなって昇降プレートがベースプレートから次第に上昇し、雌螺子部に螺着された雄螺子部材を時計回り方向と反時計回り方向とのいずれか他方へ回転させると、昇降プレートの下面から下方への雄螺子部材の延出寸法が次第に小さくなって昇降プレートがベースプレートに向かって次第に下降するから、昇降プレートの載置部に載せた壁面ボードの床面からの高さ寸法を微調節することができ、壁面に対する壁面ボードの平行状態を確実に保持することができる。
【００３０】
少なくとも２つの壁面ボードリフターが利用され、それら壁面ボードリフターを横方向へ所定寸法離間させて配置し、それら壁面ボードリフターの各載置部に壁面ボードの下端を載せる壁面ボード設置方法は、横方向へ所定寸法離間して並ぶそれら壁面ボードリフターのベースプレートの載置部に壁面ボードを載せることで、１つの壁面ボードリフターを利用する場合と比較し、壁面ボードの少なくとも２カ所がそれら壁面ボードリフターの載置部に支持されるから、壁面ボードの姿勢を安定させることができ、昇降プレートの載置部に載せた壁面ボードの姿勢を一定に保持することができるとともに、壁面に対する壁面ボードの平行状態を保持しつつ壁面ボードを壁面に設置固定することができる。
【００３１】
それら壁面ボードリフターのベースプレートの互いに対向する側縁部どうしが所定の連結手段によって連結されている壁面ボード設置方法は、連結手段によって連結されて横方向へ所定寸法離間するそれら壁面ボードリフターのベースプレートの載置部に壁面ボードを載せることで、１つの壁面ボードリフターを利用する場合と比較し、壁面ボードの少なくとも２カ所が連結手段によって連結されたそれら壁面ボードリフターの載置部に支持されるから、壁面ボードの姿勢を安定させることができ、昇降プレートの載置部に載せた壁面ボードの姿勢を一定に保持することができるとともに、壁面に対する壁面ボードの平行状態を保持しつつ壁面ボードを壁面に設置固定することができる。壁面ボード設置方法は、別々の複数の壁面ボードリフターを横方向へ所定寸法離間させて配置する手間を省くことができ、手間と時間とを要せずに容易に壁面ボードを壁面に設置固定することができる。
【図面の簡単な説明】
【００３２】
【図１】一例として示す壁面ボードリフターの上面図。
【図２】壁面ボードリフターの正面図。
【図３】壁面ボードリフターの背面図。
【図４】図１のＩ−Ｉ線矢視断面図。
【図５】ベースプレートの上面図。
【図６】昇降プレートの上面図。
【図７】内装ボードを載置部に載置した使用状態で示す図４と同一の断面図。
【図８】昇降プレートを上昇させた状態で示す図４と同一の断面図。
【図９】昇降プレートを上昇させた状態で示す図３と同一の背面図。
【図１０】他の一例として示す壁面ボードリフターの上面図。
【図１１】図１０の壁面ボードリフターの正面図。
【図１２】昇降プレートを上昇させた状態で示す壁面ボードリフターの背面図。
【発明を実施するための形態】
【００３３】
一例として示す壁面ボードリフター１０Ａの上面図である図１等の添付の図面を参照し、本発明に係る壁面ボードリフターおよび壁面ボード設置方法の詳細を説明すると、以下のとおりである。なお、図２は、壁面ボードリフター１０Ａの正面図であり、図３は、壁面ボードリフター１０Ａの背面図である。図４は、図１のＩ−Ｉ線矢視断面図であり、図５は、ベースプレート１１の上面図である。図６は、昇降プレート１２の上面図である。図２〜図４では、上下方向を矢印Ａ、横方向の矢印Ｂで示し、前後方向を矢印Ｃで示す。
【００３４】
壁面ボードリフター１０Ａは、屋内の壁面４４（内壁）に対する内装ボード４１（壁面ボード）の設置に使用され、内装ボード４１の下端４２を支持して内装ボード４１を床面４３から上方へ持ち上げた状態に保持するとともに、壁面４４に対する内装ボード４１の平行状態を保持する。なお、壁面ボードリフター１０Ａは、屋外の壁面（外壁）に対する外装ボード（壁面ボード）の設置に使用することができ、外装ボードの下端を支持して外装ボードを床面から上方へ持ち上げた状態に保持するとともに、壁面４４に対する外装ボードの平行状態を保持する。壁面ボードリフター１０Ａは、床面４３に載置される所定面積のベースプレート１１と、ベースプレート１１の上面１８の側に位置する所定面積の昇降プレート１２と、昇降プレート１２を上下方向へ昇降させる昇降手段１３とを備えている。
【００３５】
ベースプレート１１は、鋼材やアルミ、ステンレス等の金属から作られ、その平面形状が四角形に成形されている。ベースプレート１１は、横方向へ延びる前端部１４と、前端部１４から前後方向後方に離間して横方向へ延びる後端部１６と、前端部１４から後端部１６に向かって前後方向へ延びる両側縁部１７と、前後端部１４，１６および両側縁部１７の間に位置する中央部１５とを有し、平坦な上面１８および平坦な下面１９を有する。ベースプレート１１は、その上面１８から上方へ延びる３本の第１〜第３案内ロッド２０ａ〜２０ｃと、その上面１８に設置された軸受け部材２１（軸受け部）とを有する。
【００３６】
第１〜第３案内ロッド２０ａ〜２０ｃは、鋼材やアルミ、ステンレス等の金属から作られ、上下方向へ長い円柱状に成形されている。第１〜第３案内ロッド２０ａ〜２０ｃは、その下端がベースプレート１１の上面１８に溶接固定されている。第１〜第３案内ロッド２０ａ〜２０ｃは、上下方向の長さ寸法が同一である。なお、案内ロッドの数に制限はなく、ベースプレート１１の上面１８に１本または２本もしくは４本の案内ロッドが取り付けられていてもよい。
【００３７】
第１案内ロッド２０ａは、ベースプレート１１の前端部１４の横方向中央に位置し、ベースプレート１１の上面１８から上方へ直状に延びている。第２案内ロッド２０ｂは、ベースプレート１１の一方の側縁部１７の前後方向中央に位置し、ベースプレート１１の上面１８から上方へ直状に延びている。第３案内ロッド２０ｃは、ベースプレート１１の他方の側縁部１７の前後方向中央に位置し、ベースプレート１１の上面１８から上方へ直状に延びている。
【００３８】
軸受け部材２１（軸受け部）は、第２案内ロッド２０ｂと第３案内ロッド２０ｃとの間であってベースプレート１１の中央部１５（中心）に設置されている。軸受け部材２１は、鋼材やアルミ、ステンレス等の金属から作られたリングであり、その中央に円形の軸受け２２が形成されている。軸受け部材２１は、固定ピン２３によってベースプレート１１の上面１８に固定されている。
【００３９】
昇降プレート１２は、鋼材やアルミ、ステンレス等の金属から作られ、その平面形状が四角形に成形されている。昇降プレート１２は、横方向へ延びる前端部２４と、前端部２４から前後方向後方に離間して横方向へ延びる後端部２５と、前端部２４から後端部２５に向かって前後方向へ延びる両側縁部２６とを有し、平坦な上面２７および平坦な下面２８を有する。昇降プレート１２は、その前端部２４がベースプレート１１の前端部１４に位置し、その後端部２５がベースプレート１１の中央部１５に位置しているとともに、その両側縁部２６がベースプレート１１の両側縁部１７に位置している。
【００４０】
ベースプレート１１の中央部１５の一部および後端部１６が昇降プレート１２の後端部２５から前後方向後方へ延出して四角形の踏み代４５を形成している。踏み代４５は、そこに作業者が足を載せることで、ベースプレート１１の下面１９が床面４３に押し付けられ、ベースプレート１１の後端部１６が床面４３から上方へ浮き上がることはなく、ベースプレート１１（壁面ボードリフター１０Ａ）の不用意な傾斜が防止される。
【００４１】
昇降プレート１２は、昇降手段１３を介して上下方向へ昇降可能である。昇降プレート１２は、３本の第１〜第３案内パイプ２９ａ〜２９ｃと、その前端部２４に形成された横方向へ長い載置部３０とを有する。第１〜第３案内パイプ２９ａ〜２９ｃは、鋼材やアルミ、ステンレス等の金属から作られ、上下方向へ長い円筒状に成形されている。第１〜第３案内パイプ２９ａ〜２９ｃは、上下方向の長さ寸法が同一である。なお、案内パイプの数に制限はなく、案内ロッドの数にあわせて、昇降プレート１２に１本または２本もしくは４本の案内パイプが取り付けられていてもよい。
【００４２】
昇降プレート１２には、３つの第１〜第３パイプ挿通孔３１ａ〜３１ｃと、１つの螺子挿通孔３２とが穿孔されている。第１パイプ挿通孔３１ａは、昇降プレート１２の前端部２４の横方向中央に形成され、第２パイプ挿通孔３１ｂは、昇降プレート１２の後端部２５の側の一方の側縁部２６に形成され、第３パイプ挿通孔３１ｃは、昇降プレート１２の後端部２５の側の他方の側縁部２６に形成されている。螺子挿通孔３２は、昇降プレート１２の後端部２５の横方向中央に形成されている。
【００４３】
第１案内パイプ２９ａは、昇降プレート１２の前端部２４の横方向中央に位置し、昇降プレート１２の上面２７から上方へ直状に延びるとともに、昇降プレート１２の下面２８から下方へ直状に延びている。第１案内パイプ２９ａは、第１パイプ挿通孔３１ａに挿通され、第１パイプ挿通孔３１ａに溶接固定されている。第１案内パイプ２９ａは、ベースプレート１１に取り付けられた第１案内ロッド２０ａに摺動可能に挿入され、第１案内ロッド２０ａにおいて上下方向へ移動可能である。
【００４４】
第２案内パイプ２９ｂは、昇降プレート１２の後端部２５の側の一方の側縁部２６に位置し、昇降プレート１２の上面２７から上方へ直状に延びるとともに、昇降プレート１２の下面２８から下方へ直状に延びている。第２案内パイプ２９ｂは、第２パイプ挿通孔３１ｂに挿通され、第２パイプ挿通孔３１ｂに溶接固定されている。第２案内パイプ２９ｂは、ベースプレート１２に取り付けられた第２案内ロッド２０ｂに摺動可能に挿入され、第２案内ロッド２０ｂにおいて上下方向へ移動可能である。
【００４５】
第３案内パイプ２９ｃは、昇降プレート１２の後端部２５の側の他方の側縁部２６に位置し、昇降プレート１２の上面２７から上方へ直状に延びるとともに、昇降プレート１２の下面２８から下方へ直状に延びている。第３案内パイプ２９ｃは、第３パイプ挿通孔３１ｃに挿通され、第３パイプ挿通孔３１ｃに溶接固定されている。第３案内パイプ２９ｃは、ベースプレート１２に取り付けられた第３案内ロッド２０ｃに摺動可能に挿入され、第３案内ロッド２０ｃにおいて上下方向へ移動可能である。
【００４６】
載置部３０は、鋼材やアルミ、ステンレス等の金属から作られ、昇降プレート１２の先端から下方へ向かって延びる垂直部分３３と、垂直部分３３の下端から前方へ向かって延びる水平部分３４とから形成された断面Ｌ字状のアングルであり、昇降プレート１２の前端部２４につながっている。載置部３０には、内装ボード４１の下端４２が載置される。載置部３０は、その垂直部分３３の上端が昇降プレート１２の前端部２４に溶接固定されているが、昇降プレート１２を折曲することから載置部３０が作られ、昇降プレート１２と載置部３０とが一体に成形されていてもよい。
【００４７】
昇降手段１３は、ベースプレート１１の中央部１５（昇降プレート１２の後端部２５の横方向中央）に位置している。昇降手段１３は、昇降プレート１２に作られた雌螺子部３５と、雌螺子部３５に螺着された雄螺子部材３６とから形成されている。雌螺子部３５は、昇降プレート１２の上面２７に固定されたナット３７である。ナット３７（雌螺子部３５）は、昇降プレート１２の後端部２５の横方向中央に形成された螺子挿通孔３２に位置している。なお、雌螺子部３５であるナット３７が螺子挿通孔３２の位置であって昇降プレート１２の下面２８に固定されていてもよい。また、雌螺子部３５が昇降プレート１２の上下面２７，２８を貫通する貫通孔（螺子挿通孔３２）に形成された雌螺子であってもよい。
【００４８】
雄螺子部材３５は、ヘッド３８と、ヘッド３８から上下方向へ延びるボルト軸３９とを有する。ボルト軸３９の全体には、雄螺子が形成されている。雄螺子部材３５は、そのボルト軸３９がナット３７（雌螺子部３５）に螺着されているとともに、螺子挿通孔３２に挿通され、ボルト軸３９の下端部４０が軸受け部材２１の軸受け２２に回転可能に挿入されている。雄螺子部材３５のヘッド３８は、昇降プレート１２の上面２７の上方に位置している。
【００４９】
図７は、内装ボード４１を載置部３９に載置した使用状態で示す図４と同一の断面図であり、図８は、昇降プレート１２を上昇させた状態で示す図４と同一の断面図である。図９は、昇降プレート１２を上昇させた状態で示す図３と同一の背面図である。図７では、昇降プレート１２の水平部分３４が最下（ベースプレートの位置）まで下降し、載置部３０がベースプレート１１の上面１８に当接している。壁面ボードリフター１０Ａを利用した壁面ボード設置方法（壁面ボード設置手順）の一例を説明すると、以下のとおりである。なお、図９では、２つの壁面ボードリフター１０Ａを利用する例を示しているが、１つの壁面ボードリフター１０Ａを利用して壁面４４に内装ボード４１を設置することもでき、３つ以上の壁面ボードリフター１０Ａを利用して壁面４４に内装ボード４１を設置することもできる。
【００５０】
作業者は、昇降プレート１２がベースプレート１１の上面１８まで下降した図４の状態にある２つの壁面ボードリフター１０Ａを横方向へ所定寸法離間させて配置し、載置部３０が壁面４４に対向するようにそれら壁面ボードリフター１０Ａを壁面４４近傍の床面４３に置いた後、内装ボード４１の下端４２を載置部３０の水平部分３４に載せる。それら壁面ボードリフター１０Ａを壁面４４近傍の床面４３に置くと、ベースプレート１１の下面１９の全域が床面４３に当接する。次に、昇降プレート１２とともに載置部３０をベースプレート１１の上面１８から上昇させて載置部３０（昇降プレート１２）の高さを調節する。
【００５１】
または、作業者は、２つの壁面ボードリフター１０Ａを横方向へ所定寸法離間させて配置し、載置部３０が壁面４４に対向するようにそれら壁面ボードリフター１０Ａを壁面４４近傍の床面４３に置き、昇降プレート１２とともに載置部３０をベースプレート１１の上面１８から上昇させた後、内装ボード４１の下端４２を載置部３０の水平部分３４に載せる。内装ボード４１の下端４２が断面Ｌ字状の載置部３０（アングル）の水平部分３４に載置されるから、昇降プレート１２の載置部３０からの内装ボード４１の不用意な脱落を防ぐことができる。なお、内装ボード４１の上端の上方に位置する壁面４４に水平線を画き（墨入れ）、一方の壁面ボードリフター１０Ａをその水平線にあわせた後、他方の壁面ボードリフター１０Ａをその水平線にあわせる。
【００５２】
壁面ボードリフター１０Ａでは、ナット３７（雌螺子部３５）に螺着された雄螺子部材３６のボルト軸３９を時計回り方向に回転させると、雄螺子部材３６のボルト軸３９が昇降プレート１２の下面２８から下方へ向かって次第に前進し、昇降プレート１２の下面２８から下方へのボルト軸３９（雄螺子部材３６）の延出寸法が次第に大きくなって昇降プレート１２（載置部３０）がベースプレート１１の上面１８から次第に上昇する。
【００５３】
逆に、ナット３７（雌螺子部３５）に螺着された雄螺子部材３６のボルト軸３９を反時計回り方向に回転させると、雄螺子部材３６のボルト軸３９が昇降プレート１２の上面２７から上方へ向かって次第に後退し、昇降プレート１２の下面２８から下方へのボルト軸３９（雄螺子部材３６）の延出寸法が次第に小さくなって昇降プレート１２（載置部３０）がベースプレート１１の上面１８に向かって次第に下降する。したがって、壁面ボードリフター１０Ａは、昇降プレート１２を上昇または下降させることで、載置部３０（昇降プレート１２）の高さ寸法を微調節することができ、昇降プレート１２の載置部３０に載せた壁面ボード４１の床面４３からの高さ寸法を微調節することができる。
【００５４】
それら壁面ボードリフター１０Ａの昇降プレート１２を上昇させ、または、上昇させた昇降プレート１２を下降させ、昇降プレート１２の高さを微調節することで、それら壁面ボードリフター１０Ａによって内装ボード４１が床面４３から上方へ持ち上げられた状態に保持されるとともに、それら壁面ボードリフター１０Ａによって壁面４４に対する内装ボード４１の平行状態が保持される。作業者は、その状態で電動ドリルやタッカーを利用して内装ボード４１を壁面４４に設置固定する。
【００５５】
なお、内装ボード４１の重量が重く、昇降プレート１２の載置部３０にその内装ボード４１を載せたときに内装ボード４１の重量がベースプレート１１の前端部１４に集中し、ベースプレート１１（壁面ボードリフター１０Ａ）が傾く恐れがある場合、ベースプレート１１の中央部１５の一部および後端部１６から形成された踏み代４５に作業者が足を載せる。踏み代４５に足を載せることで、ベースプレート１１の下面１９が床面４３に押し付けられ、ベースプレート１１の不用意な傾斜を防ぐことができる。
【００５６】
横方向へ所定寸法離間して並ぶ２つの壁面ボードリフター１０Ａの昇降プレート１２の載置部３０に内装ボード４１の下端４２を載せることで、１つの壁面ボードリフター１０Ａを利用する場合と比較し、内装ボード４１の下端４２の少なくとも２カ所がそれら壁面ボードリフター１０Ａの昇降プレート１２の載置部３０に支持されるから、内装ボード４１の姿勢を安定させることができ、昇降プレート１２の載置部３０に載せた内装ボード４１の姿勢を一定に保持することができる。
【００５７】
１枚の内装ボード４１の壁面４４への設置固定が終了した後、昇降プレート１２を下降させて載置部３０を内装ボード４１の下端４２から下方に離間させ、壁面４４近傍から壁面ボードリフター１０Ａを取り外す。次に、壁面４４に設置固定した内装ボード４１の横に次の内装ボード４１を配置しつつ、２つの壁面ボードリフター１０Ａを利用して既述の手順によって次の内装ボード４１を壁面４４に設置固定する。なお、内装ボード４１の下端４２と床面４３との間の隙間は巾木によって埋められる。
【００５８】
壁面ボードリフター１０Ａおよび壁面ボードリフター１０Ａを利用した壁面ボード設置方法は、昇降プレート１２をベースプレート１１から上昇させた状態で昇降プレート１２の載置部３０に内装ボード４１の下端４２を載せることで、作業者がその膝で内装ボード４１を壁面４４に押し付けることなく、内装ボード４１の床面４３から上方に持ち上げた状態を保持することができ、壁面４４に対する内装ボード４１の平行状態を保持することができる。
【００５９】
壁面ボードリフター１０Ａおよび壁面ボードリフター１０Ａを利用した壁面ボード設置方法は、内装ボード４１を昇降プレート１２の載置部３０に載せた状態で電動ドリルやタッカーを利用して作業者がその内装ボード４１を壁面に設置固定することができ、内装ボード４１の取り付け作業が重労働にならず、簡易な作業で容易に内装ボード４１を壁面４４に設置固定することができるとともに、壁面ボードリフター１０Ａを利用することで、熟練した作業者の経験や勘に頼る必要はなく、熟練した作業者以外の者が壁面ボード４１を壁面４４に設置固定することができる。
【００６０】
壁面ボードリフター１０Ａおよび壁面ボードリフター１０Ａを利用した壁面ボード設置方法は、ナット３７（雌螺子部３５）に螺着された雄螺子部材３６のボルト軸３９を時計回り方向（時計回り方向と反時計回り方向とのいずれか一方）へ回転させると、昇降プレート１２の下面２８から下方へのボルト軸３９（雄螺子部材３６）の延出寸法が次第に大きくなって昇降プレート１２（載置部３０）がベースプレート１１から次第に上昇し、ナット３７（雌螺子部３５）に螺着された雄螺子部材３６のボルト軸３９を反時計回り方向（時計回り方向と反時計回り方向とのいずれか他方）へ回転させると、昇降プレート１２の下面２８から下方へのボルト軸３９（雄螺子部材３６）の延出寸法が次第に小さくなって昇降プレート１２（載置部３０）がベースプレート１１に向かって次第に下降するから、昇降プレート１２の載置部３０に載せた内装ボード４１の床面４３からの高さ寸法を微調節することができ、壁面４４に対する内装ボード４１の平行状態を保持することができる。
【００６１】
壁面ボードリフター１０Ａおよび壁面ボードリフター１０Ａを利用した壁面ボード設置方法は、ベースプレート１１の上面１８から上方へ延びる第１〜第３案内ロッド２０ａ〜２０ｂが昇降プレート１２の第１〜第３案内パイプ２９ａ〜２９ｂに摺動可能に挿入されているから、ベースプレート１１に対する昇降プレート１２の上昇時または下降時においてベースプレート１１に対する昇降プレート１２の水平状態を保持することができ、昇降プレート１２の載置部３０に載せた内装ボード４１ドの姿勢を一定に保持することができるとともに、壁面４４に対する内装ボード４１の平行状態を保持しつつ内装ボード４１を壁面４４に確実に設置固定することができる。
【００６２】
図１０は、他の一例として示す壁面ボードリフター１０Ｂの上面図であり、図１１は、図１０の壁面ボードリフター１０Ｂの正面図である。図１０，１１では、連結プレート４６の中央部４８の図示を省略している。図１０，１１では、上下方向を矢印Ａ、横方向の矢印Ｂで示し、前後方向を矢印Ｃで示す。この壁面ボードリフター１０Ｂが図１のそれと異なるところは、２つの第１壁面ボードリフター１０Ａ１と第２壁面ボードリフター１０Ａ２とが横方向へ所定寸法離間して並び、それら壁面ボードリフター１０Ａ，１０Ａ２が連結プレート４６（連結手段）を介して連結されている点にある。第１および第２壁面ボードリフター１０Ａ１，１０Ａ２のその他の構成は図１の壁面ボードリフター１０Ａのそれらと同一であるから、図１と同様の符号を付すとともに、図１の壁面ボードリフター１０Ａの説明を援用することで、壁面ボードリフター１０Ａ１，１０Ａ２のその他の構成の詳細な説明は省略する。
【００６３】
壁面ボードリフター１０Ｂは、壁面ボードリフター１０Ａと同様に、屋内の壁面４４（内壁）に対する内装ボード４１（壁面ボード）の設置に使用され、内装ボード４１の下端４２を支持して内装ボード４１を床面４３から上方へ持ち上げた状態に保持するとともに、壁面４４に対する内装ボード４１の平行状態を保持する。なお、壁面ボードリフター１０Ｂは、屋外の壁面（外壁）に対する外装ボード（壁面ボード）の設置に使用することができ、外装ボードの下端を支持して外装ボードを床面から上方へ持ち上げた状態に保持するとともに、壁面に対する外装ボードの平行状態を保持する。壁面ボードリフター１０Ｂは、第１壁面ボードリフター１０Ａ１および第２壁面ボードリフター１０Ａ２と、それら壁面ボードリフター１０Ａ１，１０Ａ２どうしを連結する横方向へ長い連結プレート４６とから形成されている。
【００６４】
第１壁面ボードリフター１０Ａ１および第２壁面ボードリフター１０Ａ２は、床面４３に載置される所定面積のベースプレート１１と、ベースプレート１１の上面１８の側に位置する所定面積の昇降プレート１２と、昇降プレート１２を上下方向へ昇降させる昇降手段１３とを備えている。ベースプレート１１は、壁面ボードリフター１０Ａのそれと同一であり、その上面１８から上方へ延びる３本の第１〜第３案内ロッド２０ａ〜２０ｃと、その上面１８に設置された軸受け部材２１（軸受け部）とを有する。ベースプレート１１の中央部１５の一部および後端部１６が昇降プレート１２の後端部２５から前後方向後方へ延出して四角形の踏み代４５を形成している。第１〜第３案内ロッド２０ａ〜２０ｃや軸受け部材２１は、壁面ボードリフター１０Ａのそれらと同一である。
【００６５】
昇降プレート１２は、壁面ボードリフター１０Ａのそれと同一であり、昇降手段１３を介して上下方向へ昇降可能である。昇降プレート１２は、３本の第１〜第３案内パイプ２９ａ〜２９ｃと、その前端部２４に形成された横方向へ長い載置部３０とを有する。昇降プレート１２には、第１〜第３パイプ挿通孔３１ａ〜３１ｃと、螺子挿通孔３２とが穿孔されている。第１〜第３案内パイプ２９ａ〜２９ｃや載置部３０、第１〜第３パイプ挿通孔３１ａ〜３１ｃ、螺子挿通孔３２は、壁面ボードリフター１０Ａのそれらと同一である。昇降手段１３は、昇降プレート１２に作られた雌螺子部３５と、雌螺子部３５に螺着された雄螺子部材３６とから形成されている。雌螺子部３５や雄螺子部材３６は、壁面ボードリフター１０Ａのそれらと同一である。
【００６６】
連結プレート４６は、鋼材やアルミ、ステンレス等の金属から作られ、平たい板状に成形されている。連結プレート４６は、両側縁部４７と、それら側縁部４７の間に延びる中央部４８とを有する。連結プレート４６は、一方の側縁部４７が第１壁面ボードリフター１０Ａ１のベースプレート１１の踏み代４５の側縁部１７に溶接固定され、他方の側縁部４７が第２壁面ボードリフター１０Ａ２のベースプレート１１の踏み代４５の側縁部１７に溶接固定されている。なお、壁面ボードリフター１０Ａ１，１０Ａ２のベースプレート１１と連結プレート４６とが一体に成形されていてもよい。また、連結プレート４６の横方向の長さ寸法に制限はなく、横方向の長さ寸法を自由に設定することができる。
【００６７】
図１２は、昇降プレート１２を上昇させた状態で示す壁面ボードリフター１０Ｂの背面図である。壁面ボードリフター１０Ｂを利用した壁面ボード設置方法（壁面ボード設置手順）の一例を説明すると、以下のとおりである。作業者は、第１および第２壁面ボードリフター１０Ａ１，１０Ａ２の載置部３０が壁面４４に対向するように壁面ボードリフター１０Ｂを壁面４４近傍の床面４３に置く。なお、昇降プレート１２はベースプレート１１の上面１８まで下降している。壁面ボードリフター１０Ｂを床面４３に置くと、第１および第２壁面ボードリフター１０Ａ１，１０Ａ２のベースプレート１１の下面１９の全域が床面４３に当接し、第１壁面ボードリフター１０Ａ１と第２壁面ボードリフター１０Ａ２とが壁面４４近傍の床面４３において横方向へ離間して並ぶ。
【００６８】
壁面ボードリフター１０Ｂを床面４３に置いた後、内装ボード４１の下端４２を第１壁面ボードリフター１０Ａ１の載置部３０の水平部分３４と第２壁面ボードリフター１０Ａ２の載置部３０の水平部分３４とに載せる。次に、第１壁面ボードリフター１０Ａ１の載置部３０をベースプレート１１の上面１８から上昇させて載置部３０（昇降プレート１２）の高さを調節するとともに、第２壁面ボードリフター１０Ａ２の載置部３０をベースプレート１１の上面１８から上昇させて載置部３０（昇降プレート１２）の高さを調節する。
【００６９】
または、作業者は、第１および第２壁面ボードリフター１０Ａ１，１０Ａ２の載置部３０が壁面４４に対向するように壁面ボードリフター１０Ｂを壁面４４近傍の床面４３に置いた後、第１壁面ボードリフター１０Ａ１の載置部３０をベースプレート１１の上面１８から上昇させて載置部３０（昇降プレート１２）の高さを調節するとともに、第２壁面ボードリフター１０Ａ２の載置部３０をベースプレート１１の上面１８から上昇させて載置部３０（昇降プレート１２）の高さを調節する。次に、内装ボード４１の下端４２を第１壁面ボードリフター１０Ａ１の載置部３０の水平部分３４と第２壁面ボードリフター１０Ａ２の載置部３０の水平部分３４とに載せる。
【００７０】
第１壁面ボードリフター１０Ａ１の昇降プレート１２を上昇させ、または、上昇させた昇降プレート１２を下降させ、第１壁面ボードリフター１０Ａ１の昇降プレート１２（載置部３０）の高さを微調節するとともに、第２壁面ボードリフター１０Ａ２の昇降プレート１２を上昇させ、または、上昇させた昇降プレート１２を下降させ、第２壁面ボードリフター１０Ａ２の昇降プレート１２（載置部３０）の高さを微調節する。昇降プレート１２（載置部３０）の高さを微調節することで、第１および第２壁面ボードリフター１０Ａ１，１０Ａ２によって内装ボード４１が床面４３から上方へ持ち上げられた状態に保持されるとともに、第１および第２壁面ボードリフター１０Ａ１，１０Ａ２によって壁面４４に対する内装ボード４１の平行状態が保持される。作業者は、その状態で電動ドリルやタッカーを利用して内装ボード４１を壁面４４に設置固定する。
【００７１】
なお、内装ボード４１の重量が重く、昇降プレート１２の載置部３０にその内装ボード４１を載せたときに内装ボード４１の重量がベースプレート１１の前端部１４に集中し、ベースプレート１１（第１および第２壁面ボードリフター１０Ａ１，１０Ａ２）が傾く恐れがある場合、踏み代４５または連結プレート４６に作業者が足を載せる。踏み代４５または連結プレート４６に足を載せることで、第１および第２壁面ボードリフター１０Ａ１，１０Ａ２のベースプレート１１の下面１９が床面４３に押し付けられ、ベースプレート１１の不用意な傾斜を防ぐことができる。
【００７２】
１枚の内装ボード４１の壁面４４への設置固定が終了した後、昇降プレート１２を下降させて載置部３０を内装ボード４１の下端４２から下方へ離間させ、壁面４４近傍から壁面ボードリフター１０Ｂを取り外す。次に、壁面４４に設置固定した内装ボード４１の横に次の内装ボード４１を配置しつつ、壁面ボードリフター１０Ｂを利用して既述の手順によって次の内装ボード４１を壁面４４に設置固定する。
【００７３】
壁面ボードリフター１０Ｂおよび壁面ボードリフター１０Ｂを利用した壁面ボード設置方法は、壁面ボードリフター１０Ａおよび壁面ボードリフター１０Ａを利用した壁面ボード設置方法が有する効果に加え、以下の効果を有する。壁面ボードリフター１０Ｂおよび壁面ボードリフター１０Ｂを利用した壁面ボード設置方法は、連結プレート４６（連結手段）によって連結されて横方向へ所定寸法離間する第１および第２壁面ボードリフター１０Ａ１，１０Ａ２のベースプレート１１の載置部３０に内装ボード４１（壁面ボード）の下端４２を載せることで、１つの壁面ボードリフター１０Ａを利用する場合と比較し、内装ボード４１の下端４２の２カ所が第１および第２壁面ボードリフター１０Ａ１，１０Ａ２の載置部３０に支持されるから、内装ボード４１の姿勢を安定させることができ、昇降プレート１２の載置部３０に載せた内装ボード４１の姿勢を一定に保持することができるとともに、壁面４４に対する内装ボード４１の平行状態を保持しつつ内装ボード４１を壁面４４に設置固定することができる。壁面ボードリフター１０Ｂおよび壁面ボードリフター１０Ｂを利用した壁面ボード設置方法は、別々の複数の壁面ボードリフター１０Ａを横方向へ所定寸法離間させて配置する手間を省くことができ、手間と時間とを要せずに容易に内装ボード４１を壁面４４に設置固定することができる。
【符号の説明】
【００７４】
１０Ａ  壁面ボードリフター
１０Ａ１  第１壁面ボードリフター
１０Ａ２  第２壁面ボードリフター
１０Ｂ  壁面ボードリフター
１１    ベースプレート
１２    昇降プレート
１３    昇降手段
１４    前端部
１５    中央部
１６    後端部
１７    両側部
１８    上面
１９    下面
２０ａ  第１案内ロッド
２０ｂ  第２案内ロッド
２０ｃ  第３案内ロッド
２１    軸受け部材（軸受け部）
２２    軸受け
２３    固定ピン
２４    前端部
２５    後端部
２６    両側部
２７    上面
２８    下面
２９ａ  第１案内パイプ
２９ｂ  第２案内パイプ
２９ｃ  第３案内パイプ
３０    載置部
３１ａ  第１パイプ挿通孔
３１ｂ  第２パイプ挿通孔
３１ｃ  第３パイプ挿通孔
３２    螺子挿通孔
３３    垂直部分
３４    水平部分
３５    雌螺子部
３６    雄螺子部材
３７    ナット
３８    ヘッド
３９    ボルト軸
４０    下端部
４１    内装ボード
４２    下端
４３    床面
４４    壁面
４５    踏み代
４６    連結プレート（連結手段）
４７    両側縁部
４８    中央部
【図１】
2018013022.tif 000003
【図２】
2018013022.tif 000004
【図３】
2018013022.tif 000005
【図４】
2018013022.tif 000006
【図５】
2018013022.tif 000007
【図６】
2018013022.tif 000008
【図７】
2018013022.tif 000009
【図８】
2018013022.tif 000010
【図９】
2018013022.tif 000011
【図１０】
2018013022.tif 000012
【図１１】
2018013022.tif 000013
【図１２】
2018013022.tif 000014